(57)【要約】【課題】免疫担当細胞賦活作用や血糖値低減作用を有する治療水を供給可能な給水装置を提供すること。【解決手段】本考案では、給水装置において、酸素、ナトリウム、マグネシウム、アルミニウム、珪素、リン、カリウム、カルシウム、チタン、及び鉄を含有する人工又は天然の鉱石が発するエネルギーを水に照射するエネルギー照射手段を給水経路の途中に配設することにした。特に、前記エネルギー照射手段は、水源と給水口との間に介設した給水管の外周部に、粉末状の前記鉱石を内部に混入した弾性ベルトを巻回して構成した。また、前記エネルギー照射手段は、水源と給水口との間に介設した給水管の外周部に、粉末状の前記鉱石を混入した樹脂を成型して構成した。また、前記エネルギー照射手段は、水源と給水口との間に介設した給水管の外周部に、粉末状の前記鉱石を混入した塗料を塗布して構成した。【選択図】図３
0003125643.tif 000002
【実用新案登録請求の範囲】
【請求項１】
酸素、ナトリウム、マグネシウム、アルミニウム、珪素、リン、カリウム、カルシウム、チタン、及び鉄を含有する人工又は天然の鉱石が発するエネルギーを水に照射するエネルギー照射手段を給水経路の途中に配設したことを特徴とする給水装置。
【請求項２】
前記エネルギー照射手段は、水源と給水口との間に介設した給水管の外周部に、粉末状の前記鉱石を内部に混入した弾性ベルトを巻回することによって構成したことを特徴とする請求項１に記載の給水装置。
【請求項３】
前記エネルギー照射手段は、水源と給水口との間に介設した給水管の外周部に、粉末状の前記鉱石を混入した樹脂を成型することによって構成したことを特徴とする請求項１に記載の給水装置。
【請求項４】
前記エネルギー照射手段は、水源と給水口との間に介設した給水管の外周部に、粉末状の前記鉱石を混入した塗料を塗布することによって構成したことを特徴とする請求項１に記載の給水装置。
【考案の詳細な説明】
【技術分野】
【０００１】
本考案は、給水装置に関するものである。
【背景技術】
【０００２】
この百年の間、西洋医学の目覚ましい発展により、結核、梅毒などの感染症の死亡率低下、平均寿命の飛躍的延長を見るに至ったが、癌、アレルギー、自己免疫疾患といった疾病に関しては治療法が確立されておらず、西洋医学の行き詰まり感は否めない。
【０００３】
そのような中、注目されてきたのが代替医療である。日本補完・代替医療学会では、代替医学・医療のことを「現代西洋医学領域において、科学的未検証および臨床未応用の医学・医療体系の総称」と定義している。また、アメリカでは、alternative medicine（代替医学）又はcomplementary
and alternative medicine（CAM：補完・代替医学）という言葉が使われている。代替医療は概して毒性が少なく、また患者に対しての侵襲の少ない治療法であり、これまで諦められていた難病の患者さんにも朗報をもたらしうるものである。また、薬害、環境汚染、医療費の高騰・負担増、医師に対する不信感など、今後21世紀の諸々の医療関係を取り巻く問題点を解決し、かつ医療の質、しいては患者の生活の質（quality
of life; QOL）の向上に貢献するものと期待される。
【０００４】
代替医療の内容別種類として、東洋医学、中東医学を始めとするリジョナル医学を中心として、経口的ルートから生体の諸機能に影響を与える所のいわゆる健康補助食品の摂取が注目を集めている。
【０００５】
このような状況下、ヒトの生体成分の60％を占める水について、焦眉の急なる課題とされている（たとえば、特許文献１参照。）。
【０００６】
【特許文献１】特開２００４−３５９６５２号公報
【考案の開示】
【考案が解決しようとする課題】
【０００７】
体重60kgのヒトでは約36kgの水が体内に存在し、その約7%（2500ml）が毎日入れ替わっている。特に、食物あるいは飲料水としては約1100ml摂取することが必要不可欠である。
【０００８】
そこで、ヒトの生命活動の維持に欠かせない水について、免疫担当細胞賦活作用と実験的糖尿病動物血糖値への作用について検討した。
【０００９】
ところで、免疫機能は体液性免疫と細胞性免疫に大別される。前者は細菌性毒素に対する抗体の中和作用、後者はウィルス感染細胞やがん細胞に対する大食細胞やNK細胞（natural killer cell）の殺細胞効果が知られている。この報告では、前者である抗体産生細胞に対する影響を看たものである。また、糖尿病はIDDM型およびNIDDM型に分類される。両者も血糖値上昇を引き起こすことは同じであるが、NIDDM型は全糖尿病患者の90％を占める。ここでは、NIDDM型の発症初期にみられる緩和な血糖値上昇をSTZ(ストレプトゾトシン；streptzotosin)実験動物に引き起こさせ、それに対するサンプルの効果を検討した。
【００１０】
また、近年、糖尿病は顕著に増大しており、平成15年の厚生労働省による糖尿病実態調査では、予備軍を含めると1700万人が罹患していると推定され、もっとも医療費のかかる病気の一つとなっている。糖尿病は動脈硬化症、網膜症、腎症などの重篤な合併症のリスクファクターであることから、その予防、進行防止は極めて重要なことである。このことから糖尿病患者は、薬物療法の他に運動療法や厳しい食事コントロールを余儀無くされ、QOLを低下させることも少なくない。ここでは、実験的糖尿病動物の血糖値への作用について検討した。
そして、鋭意研究を重ねた結果、本考案者は、酸素、ナトリウム、マグネシウム、アルミニウム、珪素、リン、カリウム、カルシウム、チタン、及び鉄を含有する人工又は天然の鉱石が発するエネルギーを水に照射することにより、免疫担当細胞賦活作用や血糖値低減作用を有する治療水を生成することができた。
そこで、本考案では、免疫担当細胞賦活作用や血糖値低減作用を有する治療水を供給できる給水装置を提供するものである。
【課題を解決するための手段】
【００１１】
請求項１に係る本考案は、酸素、ナトリウム、マグネシウム、アルミニウム、珪素、リン、カリウム、カルシウム、チタン、及び鉄を含有する人工又は天然の鉱石が発するエネルギーを水に照射するエネルギー照射手段を給水経路の途中に配設したことを特徴とする給水装置を提供するものである。
【００１２】
また、請求項２に係る本考案は、前記請求項１に係る本考案において、前記エネルギー照射手段は、水源と給水口との間に介設した給水管の外周部に、粉末状の前記鉱石を内部に混入した弾性ベルトを巻回することによって構成した。
【００１３】
また、請求項３に係る本考案は、前記請求項１に係る本考案において、前記エネルギー照射手段は、水源と給水口との間に介設した給水管の外周部に、粉末状の前記鉱石を混入した樹脂を成型することによって構成した。
【００１４】
また、請求項４に係る本考案は、前記請求項１に係る本考案において、前記エネルギー照射手段は、水源と給水口との間に介設した給水管の外周部に、粉末状の前記鉱石を混入した塗料を塗布することによって構成した。
【考案の効果】
【００１５】
そして、本考案では、酸素、ナトリウム、マグネシウム、アルミニウム、珪素、リン、カリウム、カルシウム、チタン、及び鉄を含有する人工又は天然の鉱石が発するエネルギーを水に照射するエネルギー照射手段を給水経路の途中に配設することにより、免疫担当細胞賦活作用や血糖値低減作用を有する治療水を供給することができる。
【００１６】
特に、水源と給水口との間に介設した給水管の外周部に、粉末状の鉱石を内部に混入した弾性ベルトを巻回したり、或いは、粉末状の鉱石を混入した樹脂を成型した場合には、様々な外径の給水管に容易にエネルギー照射手段を取付けることができる。
【考案を実施するための最良の形態】
【００１７】
本考案に係る給水装置は、酸素、ナトリウム、マグネシウム、アルミニウム、珪素、リン、カリウム、カルシウム、チタン、及び鉄を含有する人工又は天然の鉱石が発するエネルギーを水に照射して生成するものである。
【００１８】
鉱石の具体的な成分は、図１に示す蛍光Ｘ線分析により、表１に示すように、酸化珪素や酸化チタンや酸化アルミニウムなどの酸化物を含有し、重量比で、酸素６１．８９０３％、ナトリウム３．３８６８％、マグネシウム０．７４８８％、アルミニウム６．０６５２％、珪素２６．３１１０％、リン０．１９２９％、カリウム０．６４０８％、カルシウム０．５６３３％、チタン０．０５５１％、鉄０．１４５８％を含有する焼成体である。
【表１】
0003125643.tif 000003
【００１９】
本考案では、上記鉱石から放射されるエネルギー（赤外線）を水道水又は精製水などの水に照射して、治療水を製造している。
【００２０】
照射方法は、鉱石から放射されるエネルギーを水に照射するためのエネルギー照射手段を給水経路の途中に配設すればよく、容器内に水を貯留しておき、容器の外部に鉱石を静置しておくことによって、水にエネルギーを照射する方法でもよく、また、パイプ中に水を流動させておき、パイプの外部に鉱石を静置しておくことによって、水にエネルギーを照射する方法でもよい。
【００２１】
たとえば、図３に示すように、本考案に係る給水装置１は、水源２と給水口３との間に給水管４を介設して給水経路５を形成し、この給水経路５の途中の給水管４にエネルギー照射手段６を取付けている。
【００２２】
ここで、エネルギー照射手段６は、上記鉱石自体を給水管４の内部又は外部に載置した構成としてもよく、また、粉末状の上記鉱石を塗料に混入させ、その塗料を給水管４の内周部又は外周部に塗布することによって構成してもよい。図３に示す給水装置１では、上記鉱石を粉末状に破砕した後に、合成ゴムの内部に粉末状の鉱石を煉り込み長尺のベルト状に成型して弾性ベルト７を作成し、この弾性ベルト７を給水管４の外周部に巻回することによってエネルギー照射手段６を構成している。
【００２３】
また、図４に示すように、本考案に係る給水装置８は、水源９と給水口10との間に給水管11を介設して給水経路12を形成し、この給水経路12の途中の給水管11にエネルギー照射手段13を取付けており、エネルギー照射手段13は、上記鉱石を粉末状に破砕した後に、樹脂の内部に粉末状の鉱石を混入し、粉末状の鉱石を混入させた樹脂を給水管11の外周部で型枠を用いて略六角柱形に成型して構成している。
【００２４】
このように、本考案では、給水管4,11の外周部に、粉末状の鉱石を内部に混入した弾性ベルト７を巻回したり、粉末状の鉱石を混入した樹脂を成型したり、粉末状の鉱石を混入した塗料を塗布したりすることで、様々な外径の給水管に容易にエネルギー照射手段6,13を取付けることができるようにしている。
【００２５】
以下に、本考案に係る給水装置で生成した水（以下、「治療水」という。）の作用効果について金沢医科大学山口宣夫教授の協力を得て検証した実験結果について説明する。
【００２６】
＜検証実験１    治療水の免疫担当細胞賦活作用＞
［実験動物］
7週令のddY系雌性マウスを一週間馴化した後、実験に供した。なお、実験期間中は温度24±2℃、湿度50％で飼育し、飲料水および固形飼料は滅菌したものを用い、自由摂取とした。固形飼料はマウス用標準飼料CE-2（日本クレア製）を用いた。
【００２７】
［材料］
・  上水道水（石川県水道供給公社により供給された上水道水を脱気（脱塩素）処理水）
・  治療水
・  RPMI1640培地（粉末）
・  抗体産生細胞の検出法：脾臓細胞浮遊液
【００２８】
［実験手順］
マウスを頸椎脱臼で屠殺後、速やかに脾臓を摘出し、10ｍLの10％牛胎児血清(FCS)
RPMI1640培地の入ったシャーレ中に準備した。脾臓はステンレスメッシュ上でハサミを用いて切れ込みを入れ、指サックを装着した指で細胞を穏やかに浮遊させた。この細胞浮遊液はスポイトとナイロンメッシュを用いて、ろ過しながらアシストチューブ（15mL）に移し、遠心（1000rpm、７分）した。遠心後、上清を捨て同様の操作を再度行った後（２回）、それぞれのRPMI1640培地（上水道水または治療水にて作製）5mLにて遊出させた。この脾臓細胞浮遊液は3時間氷冷した（aging負荷）後、これを実験に供した。
【００２９】
・  SRBC(10％浮遊液)
マウスの抗体産生細胞を誘導する異種抗原としてヒツジ赤血球を用いた。ヒツジ赤血球保存液15mLに生理食塩水を35mL加え、遠心（2500rpm、7分）した。上清は捨て同様の操作を３回行った後、原液１mLを10倍希釈し、10％SRBC浮遊液とした。
【００３０】
・  bottom layer
2.8％Agar 50mLを「イーグルMEM」培地50mL（pH7.2）と混合し、オートクレーブにて加温溶解（100℃、5分）後、PFC測定用シャーレに分注し、bottom  layerとした。
【００３１】
・  top layer
1. 4％Agar 25mLを「イーグルMEM」培地25mL（pH7.2）と混合し、オートクレーブにて加温溶解（100℃、5分）したものをtop  layerとした。
【００３２】
・  VB solution
塩化ナトリウム8.5g、バルビツール酸0.575g、バルビツール酸ナトリウム0.375gを1Lの蒸留水で溶解した。
【００３３】
・  モルモット補体
モルモット補体（凍結乾燥品）を蒸留水5mLで溶解後、VB  solutionにて15倍希釈したものを用いた。
【００３４】
・  0.5％DEAE−デキストラン溶液
【００３５】
・その他実験器具
15mL容アシストチューブ、50mL容アシストチューブ、ステンレスメッシュ、ハサミ、ピンセット、BTB試験紙、10%炭酸水素ナトリウム溶液、指サック、滅菌スポイト、メスピペット、カウンター、顕微鏡、オートクレーブ、CO2インキュベーター
【００３６】
［方法］
ddY系雌性マウスにSRBC（1×109cells/ml）を腹腔より投与し、5日後に脾臓を摘出した。摘出した脾臓細胞は常法に従って調製した。あらかじめ43℃に加温しておいたtop layer 0.8mL、0.5％DEAE−デキストラン0.1mL、10％SRBC 0.1mLおよび脾臓細胞浮遊液0.1mLを混合した。次に、その混合液をbottom  layer上に均一に展延し、5％CO2インキュベーターにて37℃、１時間培養した。培養後、モルモット補体1mLを加え、さらに１時間培養した後、抗体産生細胞数を算定した。
【００３７】
［実験結果］
本検証実験で用いた上水道水または治療水のマウス脾細胞における免疫賦活作用は、抗体産生細胞数の変動として捉えることを目的とした。そのため、古典的ではあるが、抗体分泌細胞を直接観察できるplaque forming cell（PFC）数として測定することにより検討した。即ち、マウスに対してヒツジ赤血球抗体を分泌する細胞を準備し、各種の水で作製した培養液中でaging負荷をかけた。負荷は３時間とし、その後、それぞれの培養液中で処理された細胞浮遊液より、抗体産生細胞活性を測定した。その結果、治療水のPFC（106 脾細胞当たり）は57.8±1.6であり、上水道水のPFC（46.0±2.1）に対して有意な差が見られた。
【００３８】
［考察］
本検証実験では、マウス抗体産生細胞を利用してPFC活性を比較することにより、治療水の免疫担当細胞賦活作用を検討した。その結果、治療水を用いた脾細胞のPFC数は上水道水群に比べて有意に上昇した。
【００３９】
＜検証実験２    実験的糖尿病動物血糖値への作用＞
［実験動物］
3週令のddY系雄性マウスを一週間馴化した後、実験に供した。なお、実験期間中は温度24±2℃、湿度50％で飼育し、飲料水および固形飼料は滅菌したものを用い、自由摂取とした。固形飼料はマウス用標準飼料CE-2（日本クレア製）を用いた。
【００４０】
［材料］
・  治療水
・  上水道水（石川県水道供給公社により供給された上水道水を脱気（脱塩素）処理したもの）
・  1mL容シリンジ
・  注射針（27ゲージ）
・  0.4%クエン酸buffer（pH4.5）
・  2%ストレプトゾトシン（STZ）溶液
・  ストレプトゾトシン（株式会社和光純薬製）50mgを0.4%クエン酸buffer（pH4.5）2.5mLに溶解させ、ろ過滅菌後、実験に供した。
・  生理食塩水（株式会社大塚製薬製）
・  15mL容アシストチューブ
・  メンブレンフィルター
・  LFSクィックセンサー（ジョンソン・エンド・ジョンソン株式会社、イギリス）
【００４１】
［方法］
3週令のddY系雄性マウスを1週間馴化させたのち、対照群、STZ対照群、治療水投与群の３群に分け、STZ対照群および治療水投与群に催糖尿病薬であるストレプトゾトシン100mg/kgを尾静脈投与した。対照群には生理食塩水を用いた。その後、被検薬として対照群、STZ対照群には生理食塩水を、治療水投与群には治療水を20日間連続経口投与した。各々のサンプルは給水ボトルに入れ、自由摂取とした。サンプル投与21日後に、グルコース2g/kg経口投与による糖負荷試験を行った。
【００４２】
［結果］
STZ糖尿病マウスに上水道水および精製水（治療水）を21日間連続経口投与後に行った経口糖負荷試験の経時的血糖値を図２に示した。STZ投与群であるSTZ対照群および治療水投与群の経時的血糖値は、対照群に比べて上昇した。
【００４３】
［考察］
糖尿病は動脈硬化症、網膜症、腎症などの重篤な合併症のリスクファクターであることから、その予防、進行防止は極めて重要なことである。このことから糖尿病患者は、薬物療法の他に運動療法や厳しい食事コントロールを余儀無くされ、QOLを低下させることも少なくない。本検証実験では、治療水が実験的糖尿病動物の血糖値を調節できるか否か、また免疫担当細胞の活性を高めることが可能かどうかを検討した。その結果、治療水に糖尿病の病態指標のひとつ血糖値異常を改善する作用が認められた。また、実験動物の抗体産生細胞の分泌作用をより多く、より長く維持することが示された。このことは、治療水が糖尿病の予防・進行防止対策の代替療法の一つになりうる可能性を示唆していると同時に、体液性免疫の主要要素である抗体分泌細胞の活性維持能力を発揮することが示された。
【図面の簡単な説明】
【００４４】
【図１】蛍光Ｘ線分析の実測データ。
【図２】経口糖負荷試験における経時的血糖値を示すグラフ。
【図３】本考案に係る給水装置を示す説明図。
【図４】本考案に係る給水装置を示す説明図。
【符号の説明】
【００４５】
1,8  給水装置
2,9  水源
3,10  給水口
4,11  給水管
5,12  給水経路
6,13  エネルギー照射手段
７  弾性ベルト
【図１】
0003125643.tif 000004
【図２】
0003125643.tif 000005
【図３】
0003125643.tif 000006
【図４】
0003125643.tif 000007